(57)【要約】【課題】本発明は、２つのボタン部材の間の係脱により回路のオン/オフ状態を制御することができるスナップボタン装置及びそれと所定の回路とを組み合わせてなるスナップボタン装置―回路アセンブリを提供する。【解決手段】本発明のスナップボタン装置は、第１ボタン部材と、前記第１ボタン部材と係脱自在に結合されることができるように構成されている第２ボタン部材と、前記２つのボタン部材の少なくとも１つに設けられ、回路に電気的に組み入れられて前記２つのボタン部材の間の係脱により前記回路のオン/オフ状態を制御することができるように構成されている回路作動機構とを備えている。また、本発明のスナップボタン装置―回路アセンブリは、前記スナップボタン装置が前記回路の一部分として組み込まれているものである。【選択図】図１
2006346421.tif 000002
【特許請求の範囲】
【請求項１】
第１ボタン部材と、
前記第１ボタン部材と係脱自在に結合されることができるように構成されている第２ボタン部材と、
前記２つのボタン部材の少なくとも１つに設けられ、回路に電気的に組み入れられて前記２つのボタン部材の間の係脱により前記回路のオン/オフ状態を制御することができるように構成されている回路作動機構とを備えたことを特徴とするスナップボタン装置。
【請求項２】
前記回路作動機構は、前記回路に電気的に組み入れられるためにそれぞれが前記回路に電気的に接続されることができ、且つ、前記２つのボタン部材の間の係脱により互いに接続されたり切断されたりすることができるように構成されている第１及び第２導電性部材を備えたことを特徴とする請求項１に記載のスナップボタン装置。
【請求項３】
前記第２ボタン部材は凸部を有し、
前記第１ボタン部材は、前記第２ボタン部材と結合されると前記凸部に挿入されることができる内部空間を有するとともに、該内部空間内に前記２つの導電性部材が前記凸部の挿入／不挿入により互いに接続されたり切断されたりすることができるように設置されていることを特徴とする請求項２に記載のスナップボタン装置。
【請求項４】
前記第１ボタン部材の前記内部空間内に保持部材が設けられており、該保持部材は、互いに対向するとともに、前記２つのボタン部材が互いに係合されて前記凸部が前記内部空間内に挿入されると該凸部を弾性的に挟むことができるように構成された一対の弾性アームからなっていることを特徴とする請求項３に記載のスナップボタン装置。
【請求項５】
前記回路作動機構は、前記２つのボタン部材が互いに係合されて前記凸部が前記内部空間内に挿入されると前記凸部に押されて前記２つの導電性部材を切断させることができるように構成されている押しボタンを有する常時閉のスイッチとなっていることを特徴とする請求項３に記載のスナップボタン装置。
【請求項６】
前記２つの導電性部材は互いに相手側に伸びて接触し、且つ、該接触において前記第１導電性部材の方が固定的な接触端部となり、前記第２導電性部材の方が前記接触端部と弾性的に接触している自由端部となっている一対の曲がり板であり、前記２つのボタン部材が互いに係合されて前記凸部が前記内部空間内に挿入されると前記自由端部が前記凸部の前記第２導電性部材への押圧によって前記接触端部から離れるように構成されていることを特徴とする請求項３に記載のスナップボタン装置。
【請求項７】
前記凸部の先端に導電性キャップが設けられており、
前記２つの導電性部材は、互いに対向するように配置されるとともに、前記２つのボタン部材が互いに係合されて前記凸部が前記内部空間内に挿入されるとそれぞれ前記導電性キャップと接触して互いに導通することができるように構成されている一対のリード線からなっていることを特徴とする請求項３に記載のスナップボタン装置。
【請求項８】
前記回路作動機構は、更に前記内部空間内に設置してあるリング状のリード取付座を備えており、
該リング状のリード取付座に前記２つの導電性部材がそれぞれ設置されているとともに、それらの先端部分が前記リード取付座のリング内に互いに対向するように伸びており、
前記導電性キャップは、前記凸部に外嵌されているとともに、前記２つのボタン部材が互いに係合されて前記凸部が前記内部空間内に挿入されると、前記リング内に挿入されて前記２つの導電性部材と同時に接触してそれらを導通させることができるように構成されていることを特徴とする請求項７に記載のスナップボタン装置。
【請求項９】
前記凸部の先端に導電性キャップが設けられており、
前記回路作動機構は、更に、前記内部空間内において、前記２つの導電性部材として一対のそれらの自由端部が互いに対向する導電性トレースが印刷により形成された回路板を備えており、
該回路板は、前記２つのボタン部材が互いに係合されて前記凸部が前記内部空間内に挿入されると前記導電性キャップが前記２つの導電性部材と同時に接触してそれらを導通させることができるように配置されていることを特徴とする請求項３に記載のスナップボタン装置。
【請求項１０】
前記凸部は磁気を帯びているものであり、
前記２つの導電性部材は、互いに相手側に伸びてから先端部が互いにずれて開接点になっており、該開接点において前記第１導電性部材の方が固定的な接触端部となり、前記第２導電性部材の方が前記接触端部と弾性的に接触するための自由端部となっている一対の曲がり板であり、前記２つのボタン部材が互いに係合されて前記凸部が前記内部空間内に挿入されると前記自由端部が前記凸部の磁気に吸引されて湾曲し前記接触端部に弾性的に接触することができるように構成されていることを特徴とする請求項３に記載のスナップボタン装置。
【請求項１１】
前記凸部は磁気を帯びているものであり、
前記回路作動機構は管体内に一対の開接点となっているリード片を有するリードスイッチであり、
前記２つの導電性部材は、前記一対のリード片からなっており、前記２つのボタン部材が係合されて前記凸部が前記内部空間内に挿入されと、前記凸部の磁気に磁化されて互いに吸引して接触して、閉接点になることができるように構成されていることを特徴とする請求項３に記載のスナップボタン装置。
【請求項１２】
対になる２物品の１つに設けられる第１ボタン部材と、
前記２物品の他方の１つに設けられ、且つ、前記第１ボタン部材と磁気的に結合して前記２物品を装着させることができる第２ボタン部材と、
前記２つのボタン部材にそれぞれ設置され、他の一方と共に回路に電気的に組み入れられ、且つ前記２つのボタン部材の間の磁気的結合により互いに接続して、前記回路をオン状態にさせることができるように構成されている一対の導電性端子とを備えたことを特徴とするスナップボタン装置。
【請求項１３】
前記各導電性端子は、それに溶接されていることで前記回路と接続されるリード線を更に備えたことを特徴とする請求項１２に記載のスナップボタン装置。
【請求項１４】
前記第１及び第２ボタン部材は、それぞれ、第１及び第２導電性部材と第１及び第２磁気領域とを備え、
前記第１及び第２導電性端子は、それぞれ、前記第１及び第２導電性部材に接続され、
前記第１及び第２磁気領域は、それぞれ、前記２つのボタン部材上において、該第１及び第２ボタン部材が互いに接近すると互いに吸引することができる位置に配置形成されていることを特徴とする請求項１２に記載のスナップボタン装置。
【請求項１５】
前記第１導電性部材は、前記第１磁気領域がその中に形成されている窪みを有する第１導電性フランジと、前記第１導電性フランジの前記窪みの反対面に配置されている第１導電性プレートとを含み、
前記第２導電性部材は、磁気を帯びていて前記第２磁気領域となっている凸部を有する第２導電性フランジと、前記第２導電性フランジの前記凸部の反対面に配置されている第２導電性プレートとを含んでいて、前記２つの導電性端子は、それぞれ、前記２つの導電性プレートの周縁から突出しており、
前記２つの磁気領域が互いに吸引すると、前記凸部が前記窪みの中に挿入されて前記２つの導電性フランジを互いに接触させることができるように構成されていることを特徴とする請求項１４に記載のスナップボタン装置。
【請求項１６】
前記各導電性部材は、それに属する導電性フランジの磁気領域を有する面の反対面に、一対のアームが該反対面から突出するように固定されている導電性Ｕ字状のプレートを有し、且つ、前記一対のアームは、それに属する導電性プレートを貫通すると共に、該導電性プレートを前記導電性フランジに連接させていることを特徴とする請求項１５に記載のスナップボタン装置。
【請求項１７】
第１ボタン部材と、前記第１ボタン部材と係脱自在に結合されることができるように構成されている第２ボタン部材とを含んでいるスナップボタン装置を有し、該スナップボタン装置は、前記２つのボタン部材の間の係脱によりそのオン/オフ状態が制御され得る回路の一部分として組み込まれていることを特徴とするスナップボタン装置―回路アセンブリ。
【請求項１８】
前記回路は前記第１ボタン部材を一部分として該第１ボタン部材に設置されていることを特徴とする請求項１７に記載のスナップボタン装置―回路アセンブリ。
【請求項１９】
前記回路の、前記スナップボタン装置に組み込まれた部分を除いた部分は、回路板に形成されており、該回路板は前記第１ボタン部材に設けられていることを特徴とする請求項１７に記載のスナップボタン装置―回路アセンブリ。
【請求項２０】
前記第１ボタン部材に設けられ且つ前記回路に電気的に組み入れられている回路作動機構を更に含んでおり、該回路作動機構は、前記２つのボタン部材の間の係脱により互いに接続されたり切断されたりすることができる第１及び第２導電性部材から構成されていることを特徴とする請求項１７に記載のスナップボタン装置―回路アセンブリ。
【請求項２１】
前記第２ボタン部材は凸部を有し、
前記回路作動機構は、前記２つの導電性部材がそれに組み込まれている常時閉のスイッチとなっており、該常時閉のスイッチは、更に、前記２つのボタン部材が互いに係合されると該凸部に押されて前記２つの導電性部材を切断させることができるように構成されている押しボタンを有することを特徴とする請求項２０に記載のスナップボタン装置―回路アセンブリ。
【請求項２２】
前記回路の、前記スナップボタン装置に組み込まれた部分を除いた部分は、前記２つのボタン部材の外部に設置されていることを特徴とする請求項１７に記載のスナップボタン装置―回路アセンブリ。
【発明の詳細な説明】
【技術分野】
【０００１】
本発明はスナップボタン装置及びスナップボタン装置―回路アセンブリに関し、詳しくは、回路作動機能を有するスナップボタン装置及びそれと回路とからなったスナップボタン装置―回路アセンブリに関する。
【背景技術】
【０００２】
従来のスナップボタン装置は、第１ボタン部材と第２ボタン部材とを備えていて、それぞれ対になる２物品、例えば服、袋、靴等の一部分とその対応する部分とに付けられてそれらを互いに着脱自在に結合させることができるが、単機能しか持たない。
【０００３】
ところで、従来のスイッチは、常時開のものであれ、常時閉のものであれ、いずれも回路作動機能を有するが、同じく単機能しか持たない。
【発明の開示】
【発明が解決しようとする課題】
【０００４】
前記に鑑みて、本発明者は、スナップボタン装置は、服、袋、靴だけでなく、他にも例えばおもちゃなどの対になる２物品であれば広く応用できるものであって、その技術的特徴は物同士の間の開閉にあり、それに、スイッチなどの回路作動機構も同じく接点同士の間の開閉に特徴がある、という事実に注目し、スナップボタン装置における２つのボタン部材の間の係脱により回路のオン/オフ状態を制御することができ、且つ、前記回路により前記スナップボタン装置の付いている対になる２物品に付加機能を付与することができる、という発想をするに至った。
【０００５】
即ち、本発明の目的は、２つのボタン部材の間の係脱により回路のオン/オフ状態を制御することができるスナップボタン装置を提供し、それにより所定の回路とを組み合わせて、対になる２物品に付加機能を付与することにある。
【０００６】
本発明は、他の側面からみれば、その目的は、前記スナップボタン装置と所定の回路とを組み合わせてスナップボタン装置―回路アセンブリを提供し、それにより対になる２物品に付加機能を付与することにある。
【課題を解決するための手段】
【０００７】
前記目的を達成するために、本発明は、第１ボタン部材と、前記第１ボタン部材と係脱自在に結合されることができるように構成されている第２ボタン部材と、前記２つのボタン部材の少なくとも１つに設けられ、回路に電気的に組み入れられて前記２つのボタン部材の間の係脱により前記回路のオン/オフ状態を制御することができるように構成されている回路作動機構とを備えたことを特徴とするスナップボタン装置を提供する。
【０００８】
また、本発明は、対になる２物品の１つに設けられる第１ボタン部材と、前記２物品の他方の１つに設けられ、且つ、前記第１ボタン部材と磁気的に結合して前記２物品を装着させることができる第２ボタン部材と、前記２つのボタン部材にそれぞれ設置され、他の一方と共に回路に電気的に組み入れられて前記２つのボタン部材の間の磁気的結合により互いに接続して、前記回路をオン状態にさせることができるように構成されている一対の導電性端子とを備えたことを特徴とするスナップボタン装置をも提供する。
【０００９】
さらに、本発明は、第１ボタン部材と、前記第１ボタン部材と係脱自在に結合されることができるように構成されている第２ボタン部材とを含んでいるスナップボタン装置を有し、且つ、該スナップボタン装置は、前記２つのボタン部材の間の係脱によりそのオン/オフ状態が制御されうる回路の一部分として組み込まれていることを特徴とするスナップボタン装置―回路アセンブリをも提供する。
【発明の効果】
【００１０】
上記のように構成されている本発明のスナップボタン装置及びスナップボタン装置―回路アセンブリは、対になる２物品を連結するという基本的な機能を持っている上、その回路作動機能により回路に組み込まれたり接続されたりしている様々な装置、例えばＬＥＤ、スピーカ、モータ等を制御し、対になる２物品に多彩な付加機能を付与することができ、それにより消費者の興味を引き付けることができる。
【発明を実施するための最良の形態】
【００１１】
以下、本発明についてより詳細に説明する。但し、本明細書における同じ符号は同じ部品を表示する。また、本発明における回路作動機構とは、後記のように互いに接続されたり切断されたりすることにより回路を制御することができるように構成されている２つの導電性部材を少なくとも含んでいるものを言う。
【００１２】
図１ないし図４は、対になる２物品、例えば図２における袋５の対になる袋壁５１、５２を連結するための、本発明の回路作動機能を有するスナップボタン装置の第１の好ましい実施形態を示す。
【００１３】
前記スナップボタン装置は、第１ボタン部材２と、それと係脱自在に結合されることにより袋壁５１、５２を互いに連結しうるように構成されている第２ボタン部材３と、第１及び第２ボタン部材２、３の少なくとも１つに設けられ、回路４に電気的に組み入れられて第１及び第２ボタン部材２、３の間の係脱により回路４のオン/オフ状態を制御することができるように構成されている回路作動機構１とを備えている。
【００１４】
この実施形態における回路作動機構１は、回路４に電気的に組み入れられるためにそれぞれ回路４に接続されることができる第１及び第２導電性部材３２、３２を備えている。この実施形態において、第１及び第２導電性部材３２、３２は通常互いに接触していないが、第１及び第２ボタン部材２、３の間の係脱により互いに接続されたり切断されたりすることができるように配置構成されている。
【００１５】
もっと詳しく説明すると、前記第２ボタン部材３は凸部１０を有する。前記第１ボタン部材２は、第２ボタン部材３と結合されると凸部１０が挿入されることができる内部空間２０を有し、該内部空間２０内に第１及び第２導電性部材３２、３２が凸部１０の挿入(図７参照)／不挿入(図４参照)により互いに接続されたり切断されたりすることができるように配置構成されている。
【００１６】
この実施形態における前記回路作動機構１は、ハウジング３１と、それに取付けられている押しボタン３３と、第１及び第２導電性部材３２、３２とを備えた常時は閉状態のスイッチである。即ち、該第１及び第２導電性部材３２、３２は、該スイッチの中に設けてある一対の端子であって、押しボタン３３が押されていない常時閉の状態にあるとき互いに接続しているが、押しボタン３３が押されて開状態になると互いに接続しないように構成されている。それにより、第１及び第２ボタン部材２、３が互いに係合されると、凸部１０がそれと同時に内部空間２０内に挿入して常時閉の押しボタン３３を押し込んで第１導電性部材３２と第２導電性部材３２とを切断させ、回路４のオン/オフ状態を切り替え、例えばオフ状態にすることができる。一方、２つのボタン部材２、３が互いに離脱されると、凸部１０が内部空間２０内から退いて、開状態にされた押しボタン３３を常時閉の位置に戻させ、回路４のオン/オフ状態を切り替え、例えばオン状態にすることができる。
【００１７】
図３Ｂないし３Ｄに、この実施形態における回路作動機構１としてのスイッチの構成を示す。該スイッチの押しボタン３３の中には第１導電性ストリップ３４が設けてある。そして、該スイッチのハウジング３１内には、互いに接触しておらず、且つ導電性部材３２、３２にそれぞれ接続されている一対の第２導電性ストリップ３６、３７と、押しボタン３３を常時閉状態に付勢している付勢部材３８とが設置されている。それに、該回路作動機構１としてのスイッチの全体の構成は、押しボタン３３が押されると(図３Ｃ参照)、第１導電性ストリップ３４が第２導電性ストリップ３６から分離されて導電性部材３２、３２を互いに切断させ、また、押しボタン３３が押されていない常時閉の位置にある場合(図３Ｄ参照)、第２導電性ストリップ３６、３７が第１導電性ストリップ３４を介して互いに接続され、それにより導電性部材３２、３２を互いに接続させることができるようになっている。
【００１８】
そして、前記第１ボタン部材２の内部空間２０内に保持部材２６が設けられている。該保持部材２６は、対向した一対の弾性アーム２６１、２６１を有し、且つ第１及び第２ボタン部材２、３が互いに係合されて凸部１０が内部空間２０内に挿入されると前記一対の弾性アーム２６１、２６１が前記凸部１０を弾性的に挟むことができる。
【００１９】
また、図３Ａ及び図４に示すように、第１ボタン部材２は、第１ディスク２１と、第１ディスク２１から同軸に延出し、且つ回路作動機構１を収納している筒状の作動機構取付部材２３と、作動機構取付部材２３に挿入係止されていて、作動機構取付部材２３と共に内部空間２０を包囲形成するように構成されている内スリーブ２４と、内スリーブ２４に取り付けられ、且つ保持部材２６を受け入れている環状の保持部材取付部材２５と、内スリーブ２４に外嵌され、且つその上にある末端フランジ２２３が内スリーブ２４にある末端フランジ２４２に係止されていて作動機構取付部材２３の内スリーブ２４からの不意な移動を防止することができる外スリーブ２２とを含んでいる。
【００２０】
保持部材取付部材２５の内スリーブ２４に対する不意な移動を防止するために、保持部材取付部材２５と内スリーブ２４の末端フランジ２４２との間にスペーサ２７が介装されている。図示の例においては、袋５の袋壁５２は作動機構取付部材２３に貫通されているとともに、その一部分が第１ディスク２１の末端面と外スリーブ２２の末端フランジ２２３の末端面との間に挟まれている。
【００２１】
第２ボタン部材３は更に第２デイスク１１を含んでいる。前記凸部１０は、第２デイスク１１に係止されており、前記第２デイスク１１から突出してなるステム部１２と、該ステム部１２の先端部に外嵌されているキャップ１３とからなっている。袋５の袋壁５１は凸部１０のステム部１２に貫通されているとともに、その一部分が第２ディスク２１の末端面とキャップ１３の末端面との間に挟まれている。
【００２２】
図４および図５を参照すると、作動機構取付部材２３は基壁２３１と該基壁２３１から突出する筒状の周壁２３２とを含んでいる。該周壁２３２は、回路作動機構１を受け入れることができる内蔵空間２３３を有するとともに、複数の径方向に開口している溝及び溝と交互に設けられている弾性タブ２３６が形成されている。各弾性タブ２３６は、内スリーブ２４の末端フランジ２４２と係止できる係止爪２３５を有する。
【００２３】
図４および図６を参照すると、保持部材取付部材２５は、同軸に配置されている環状の外壁２５１および環状の内壁２５２を有し、該環状の外壁２５１と該環状の内壁２５２との間に空隙が形成されていて保持部材２６がその空隙に収納されている。内壁２５２により包囲された通路２５２ａが中に形成されている。内壁２５２には一対の互いに対向した開口２５３、２５３が設けてあり、それらにより保持部材２６が取り付けられている隙間と前記通路２５２ａが互いに連通するようになっている。保持部材２６の一対の弾性アーム２６１、２６１は、それぞれ開口２５３、２５３を通して通路２５２ａに突出している。それにより、第２ボタン部材３の凸部１０が通路２５２ａを通して内部空間２０に挿入されると、該一対の弾性アーム２６１、２６１に弾性的に挟まれることができる。
【００２４】
また、図４および図５に示すように、作動機構取付部材２３に、貫通孔２３４が基壁２３１から周壁２３２までに延びるように形成されている。該貫通孔２３４を通してリード線１００が配置されることにより、第１及び第２導電性部材３２、３２は回路４に接続されることができる(図１参照)。また、図示のように、回路作動機構１を取り付けるための複数の保持リブ２３０が基壁２３１上に形成されている。
【００２５】
この例において、スナップボタン装置により作動される回路４は、袋壁５２の袋５に付設され、集積回路４５、ＬＥＤ４１、及びスピーカ４２などを含んでおり、且つこれらを駆動するための電源として複数のバッテリ４４も含んでいる。回路４は、袋５にもっと多様な機能を付与して消費者の興味を引き付けるためにモータ４３と他の電子部品を更に含んでもよい。
【００２６】
図８は、本発明のスナップボタン装置の第２の好ましい実施形態を示す図面である。この実施形態と第１の好ましい実施形態との異なるところは、回路作動機構１の構造及び作動方式だけである。第１及び第２導電性部材６１、６２は第１ディスク２１に固定されている一対の曲がり板である。これら２つの導電性部材６１、６２は、互いに相手側に伸びて接触し、且つ、該接触において前記第１導電性部材６１の方が固定的な接触端部６１１となり、前記第２導電性部材６２の方が前記接触端部６１１と弾性的に接触している自由端部６２１となっているので、第１及び第２ボタン部材２、３が互いに係合されて凸部１０が内部空間２０内に挿入されると、凸部１０の第２導電性部材６２への押圧によって自由端部６２１が接触端部６１１から離れることができる。
【００２７】
図９は、本発明のスナップボタン装置の第３の好ましい実施形態を示す図面である。この実施形態と第１の好ましい実施形態との異なるところは、第１ボタン部材２に取付けられている回路作動機構１の構造及び作動方式だけである。本実施形態において、キャップ１３は導電性を有するとともに、凸部１０に外嵌されている。第１及び第２導電性部材７１、７１としては、互いに対向して配置されている一対のリード線である。この実施形態では、第１及び第２ボタン部材２、３が互いに係合されて凸部１０が内部空間２０内に挿入されると、第１及び第２導電性部材７１、７１はそれぞれ前記導電性キャップ１３と接触して互いに導通することができる。
【００２８】
なお、前記回路作動機構１は、更に内部空間２０内に第１ディスク２１に固定されるように設置してあるリング状のリード取付座７２を備えている。該リード取付座７２に第１及び第２導電性部材７１、７１がそれぞれ設置されており、それらの先端部分が前記リード取付座７２のリング７２１内に互いに対向するように伸びている。また、第１ボタン部材２と第２ボタン部材３とが互いに係合されて凸部１０が内部空間２０内に挿入されると、前記リング内７２１に挿入されて第１及び第２導電性部材７１、７１と同時に接触し、それらを導通させることができるように構成されている。
【００２９】
図１０は、本発明のスナップボタン装置の第４の好ましい実施形態を示す図面である。この実施形態と第３の好ましい実施形態との異なるところは、回路作動機構１の構造だけにある。この実施形態において、回路作動機構１は更に内部空間２０(図示せず)内に回路板５１０を備えている。第１及び第２導電性部材７１、７１は、回路板５１０に印刷により形成された一対の導電性トレースであって、それらの自由端部が互いに対向している。第１及び第２ボタン部材２、３が係合されて凸部１０が内部空間２０内に挿入されると、導電性キャップ１３が第１及び第２導電性部材７１、７１と同時に接触してそれらを導通させることができる。
【００３０】
図１１は、本発明のスナップボタン装置の第５の好ましい実施形態を示す図面である。この実施形態と第１の好ましい実施形態との異なるところは、回路作動機構１の構造及び作動方式だけである。本実施形態における凸部１０は、磁気を帯びているものである。また、第１及び第２導電性部材９１、９２は、それぞれ取付座９３及び第１ディスク２１に固定されている一対の曲がり板であり、互いに相手側に伸びてから先端部が互いにずれて開接点になっており、該開接点において第１導電性部材９１の方が固定的な接触端部９１２となり、第２導電性部材９２の方が接触端部９１２と弾性的に接触するための自由端部９２２となっている。第１及び第２ボタン部材２、３が互いに係合されて凸部１０が内部空間２０(図示せず)内に挿入されると、自由端部９２２が凸部１０の磁気に吸引されて湾曲することで接触端部９１２に弾性的に接触することができる(図示せず)。
【００３１】
図１２は、本発明のスナップボタン装置の第６の好ましい実施形態を示す図面である。この実施形態と第５の好ましい実施形態との異なるところは、回路作動機構１の構造だけである。前記回路作動機構１は、取付座９３に取付けられる、管体８１１を有するリードスイッチ８１である。また、第１及び第２導電性部材８１２、８１２は、前記管体８１１内に一対の開接点となっているリード片であって、第１及び第２ボタン部材２、３が係合されて凸部１０が内部空間２０(図示せず)内に挿入されると、凸部１０の磁気に磁化されて互いに吸引して接触して、閉接点になることができる。
【００３２】
図１３は、本発明のスナップボタン装置の第７の好ましい実施形態を示す図面である。この実施形態と第１の好ましい実施形態との異なるところは、回路作動機構の構造及び作動方式だけにある。この実施形態は、対になる２物品(図示せず)の１つに設けられる第１ボタン部材２と、前記２物品の他方の１つに設けられ、且つ前記第１ボタン部材２と磁気的に結合して前記２物品を装着させることができる第２ボタン部材３と、第１及び第２ボタン部材２、３にそれぞれ設置され、他の一方と共に回路４に電気的に組み入れられて第１及び第２ボタン部材２、３の間の磁気的結合により互いに接続して前記回路４をオン状態にさせることができるように構成されている第１及び第２導電性端子７３１、７４１とを備えている。また、第１及び第２導電性端子７３１、７４１上にそれぞれある溶接点７００、７００にリード線１００、１００が溶接されている。
【００３３】
前記第１及び第２ボタン部材２、３は、それぞれ、第１及び第２導電性部材７３、７４と、該第１及び第２導電性部材７３、７４に配置形成されている第１及び第２磁気領域７５、７６とを備えている。前記第１及び第２導電性端子７３１、７４１は、それぞれ、前記第１及び第２導電性部材７３、７４に接続されている。もっと詳しく言うと、第１導電性部材７３と第２導電性部材７４とは、互いに係脱できる構造、即ち第１ボタン部材２と第２ボタン部材３とを係脱させる構造になっている。前記第１及び第２磁気領域７５、７６は、それぞれ、第１導電性部材７３及び第２導電性部材７４上において、該第１導電性部材７３と第２導電性部材７４とが互いに接近すると互いに吸引して接触して、第１及び第２導電性部材７３、７４をも互いに接触させる位置に配置形成されている。
【００３４】
もっと詳しく言えば、前記第１導電性部材７３は、窪み８３０を有する第１導電性フランジ８３と、第１導電性フランジ８３の窪み８３０の反対面に配置されている第１導電性プレート７３０とを含んでいる。また、前記第２導電性部材７４は、凸部８４０を有する第２導電性フランジ８４と、第２導電性フランジ８４の凸部８４０の反対面に配置されている第２導電性プレート７４０とを含んでいる。前記凸部８４０と前記窪み８３０とは互いに嵌合できるようになっている。そして、前記第１磁気領域７５は前記窪み８３０内の表面に形成されており、前記第２磁気領域７６は前記凸部８４０の表面になっている。また、第１及び第２導電性端子７３１、７４１は、それぞれ、前記２つの導電性プレート７３０、７４０の周縁から突出している。これにより、第１及び第２磁気領域７５、７６が互いに吸引すると、凸部８４０が前記窪み８３０の中に挿入されて第１及び第２導電性フランジ８３、８４を互いに接触させることができる。
【００３５】
また、前記第１導電性部材７３は、第１導電性フランジ８３の窪み８３０との反対面に、その一対のアーム８３１１、８３１１が該反対面から突出するように固定されている導電性Ｕ字状のプレート８３１を有する。しかも、前記一対のアーム８３１１、８３１１は、第１導電性プレート７３０を貫通して第１ディスク２１に連結されている。前記第２導電性部材７４は、第２導電性フランジ８４の凸部８４０がある反対面に、その一対のアーム８４１１、８４１１が該反対面から突出するように固定されている導電性Ｕ字状のプレート８４１を有する。しかも、前記一対のアーム８４１１、８４１１は、第２導電性プレート７４０を貫通して第２ディスク１１に連結されている。
【００３６】
さらに、本実施形態における回路４は、集積回路４５、ＬＥＤ４１、スピーカ４２、モータ４３、及び複数のバッテリ４４を含んでいる。
【００３７】
図１４及び図１５は、本発明のスナップボタン装置―回路アセンブリの好ましい実施形態を示す図面である。このスナップボタン装置―回路アセンブリは、第１ボタン部材２と、前記第１ボタン部材２と係脱自在に結合されることができるように構成されている第２ボタン部材３とを含んでいるスナップボタン装置および回路作動機構１を有する。該スナップボタン装置、特にその前記回路作動機構１を主とした部分は、前記２つのボタン部材２、３の間の係脱によりそのオン/オフ状態が制御されうる内部回路４の一部分として組み込まれている。
【００３８】
本実施形態におけるスナップボタン装置は、図３Ａに示すスナップボタン装置の第１の好ましい実施形態に似ている。本実施形態における回路４の、前記スナップボタン装置のそれに組み込まれた部分を除いた部分は、回路板４０に形成されており、該回路板４０は前記第１ボタン部材２に設けられている。該回路作動機構１は、回路４に電気的に組み入れられているとともに、図３Ａに示すスナップボタン装置の第１の好ましい実施形態におけるものと同じように、第１及び第２導電性部材３２、３２が第１及び第２ボタン部材２、３の間の係脱により互いに接続されたり切断されたりすることができるように配置構成されている。なお、回路４の、スナップボタン装置のそれに組み込まれた部分を除いた部分は、前記２つのボタン部材２、３の外部に設置されてもいい。
【００３９】
上記のいずれのものは、本発明の好適な実施形態にすぎず、それらにより本発明を限定するものではない。即ち、本発明の精神の範囲内において種々の変形や変更が可能であることは言うまでもない。
【００４０】
上記のように構成されている本発明のスナップボタン装置及びスナップボタン装置―回路アセンブリは、対になる２物品を連結するという基本的な機能を持つとともに、その回路作動機能により回路に組み込まれたり接続されたりしている様々な装置、例えばＬＥＤ、スピーカ、モータ等を制御し、対になる２物品に多彩な付加機能を付与することができ、それにより消費者の興味を引き付けることもできる。
【図面の簡単な説明】
【００４１】
【図１】本発明のスナップボタン装置の第１の好ましい実施形態が回路に組み入れられている様子を示す概略図である。
【図２】第１の好ましい実施形態のスナップボタン装置が回路と共に袋に付設されている様子を示す斜視図である。
【図３Ａ】第１の好ましい実施形態の分解斜視図である。
【図３Ｂ】第１実施形態における押しボタンの作動状態を示す概略図である。
【図３Ｃ】第１実施形態における押しボタンの作動状態を示す概略図である。
【図３Ｄ】第１実施形態における押しボタンの作動状態を示す概略図である。
【図４】第１と第２ボタン部材が互いに離脱されている第１の好ましい実施形態のスナップボタン装置を示す断面図である。
【図５】第１の好ましい実施形態のスナップボタン装置における作動機構取付部材及び第１ディスクを示す斜視図である。
【図６】第１の好ましい実施形態のスナップボタン装置における保持部材及び保持部材取付部材を示す分解斜視図である。
【図７】第１と第２ボタン装置が互いに係合されている第１の好ましい実施形態のスナップボタン装置を示す断面図である。
【図８】本発明のスナップボタンの第２の好ましい実施形態の分解斜視図である。
【図９】本発明のスナップボタンの第３の好ましい実施形態の分解斜視図である。
【図１０】本発明のスナップボタンの第４の好ましい実施形態の分解斜視図である。
【図１１】本発明のスナップボタンの第５の好ましい実施形態の分解斜視図である。
【図１２】本発明のスナップボタンの第６の好ましい実施形態の分解斜視図である。
【図１３】本発明のスナップボタンの第７の好ましい実施形態の分解斜視図である。
【図１４】本発明のスナップボタン装置―回路アセンブリの好ましい実施形態の分解斜視図である。
【図１５】図１４における回路板に設けられている電子部品の概略図である。
【符号の説明】
【００４２】
１       回路作動機構
１０     凸部
１００   リード線
１１     第２デイスク
１２     ステム部
１３     キャップ
２       第１ボタン部材
２０     内部空間
２１     第１ディスク
２２     外スリーブ
２２３   末端フランジ
２３     作動機構取付部材
２３０   保持リブ
２３１   基壁
２３２   周壁
２３３   内蔵空間
２３４   貫通孔
２３５   係止爪
２３６   弾性タブ
２４     内スリーブ
２４２   末端フランジ
２５     保持部材取付部材
２５１   外壁
２５２   内壁
２５２ａ 通路
２５３   開口
２６     保持部材
２６１   弾性アーム
２７     スペーサ
３       第２ボタン部材
３１     ハウジング
３２     第１及び第２導電性部材
３３     押しボタン
３４     第１導電性ストリップ
３６     第２導電性ストリップ
３７     第２導電性ストリップ
３８     付勢部材
４       回路
４０     回路板
４１     ＬＥＤ
４２     スピーカ
４３     モータ
４４     バッテリ
４５     集積回路
５       袋
５１     袋壁
５１０   回路板
５２     袋壁
６１     第１導電性部材
６１１   接触端部
６２     第２導電性部材
６２１   自由端部
７００   溶接点
７１     第１及び第２導電性部材
７２     リード取付座
７２１   リング
７３     第１導電性部材
７３０   第１導電性プレート
７３１   第１導電性端子
７４     第２導電性部材
７４０   第２導電性プレート
７４１   第２導電性端子
７５     第１磁気領域
７６     第２磁気領域
８１     リードスイッチ
８１１   管体
８１２   第１及び第２導電性部材
８３     第１導電性フランジ
８３０   窪み
８３１   導電性U字状のプレート
８３１１ アーム
８４     第２導電性フランジ
８４０   凸部
８４１   導電性Ｕ字状のプレート
８４１１ アーム
９１     第１導電性部材
９１２   接触端部
９２     第２導電性部材
９２２   自由端部
９３     取付座
【図１】
2006346421.tif 000003
【図２】
2006346421.tif 000004
【図３Ａ】
2006346421.tif 000005
【図３Ｂ】
2006346421.tif 000006
【図３Ｃ】
2006346421.tif 000007
【図３Ｄ】
2006346421.tif 000008
【図４】
2006346421.tif 000009
【図５】
2006346421.tif 000010
【図６】
2006346421.tif 000011
【図７】
2006346421.tif 000012
【図８】
2006346421.tif 000013
【図９】
2006346421.tif 000014
【図１０】
2006346421.tif 000015
【図１１】
2006346421.tif 000016
【図１２】
2006346421.tif 000017
【図１３】
2006346421.tif 000018
【図１４】
2006346421.tif 000019
【図１５】
2006346421.tif 000020